(57)【要約】【課題】表示パネルの輝度ムラを改善した情報処理装置を提供すること。【解決手段】  第１の赤色発光素子と第１の緑色発光素子と第１の青色発光素子とが配置されたエリアと、第１のエリアに対して一方向に配列され、第１の赤色発光素子に直列接続した第２の赤色発光素子と第１の緑色発光素子に直列接続した第２の緑色発光素子と第１の青色発光素子に直列接続した第２の青色発光素子とが配置されたエリアとを含み、表示パネルを照らす光源と、第１の赤色発光素子のアノード側および第２の赤色発光素子のカソード側が接続され、第１の赤色発光素子に流れる電流の値を調整する制御回路と、第１の緑色発光素子のアノード側および第２の緑色発光素子のカソード側が接続され、第１の緑色発光素子に流れる電流の値を調整する制御回路と、第１の青色発光素子のアノード側および第２の青色発光素子のカソード側が接続され、第１の青色発光素子に流れる電流の値を調整する制御回路とを具備する。【選択図】      図３
2007206282.tif 000002
【特許請求の範囲】
【請求項１】
画像を表示する表示パネルと、
前記表示パネルを照らす光源であり、第１の赤色発光素子と第１の緑色発光素子と第１の青色発光素子とが配置された第１のエリアと、前記第１のエリアに対して一方向に配列され、前記第１の赤色発光素子に直列接続した第２の赤色発光素子と前記第１の緑色発光素子に直列接続した第２の緑色発光素子と前記第１の青色発光素子に直列接続した第２の青色発光素子とが配置された第２のエリアとを含む光源と、
前記第１の赤色発光素子のアノード側および前記第２の赤色発光素子のカソード側が接続され、前記第１の赤色発光素子および前記第２の赤色発光素子に流れる電流の値を調整する第１の制御回路と、
前記第１の緑色発光素子のアノード側および前記第２の緑色発光素子のカソード側が接続され、前記第１の緑色発光素子および前記第２の緑色発光素子に流れる電流の値を調整する第２の制御回路と、
前記第１の青色発光素子のアノード側および前記第２の青色発光素子のカソード側が接続され、前記第１の青色発光素子および前記第２の青色発光素子に流れる電流の値を調整する第３の制御回路と、
を具備することを特徴とする情報処理装置。
【請求項２】
第１の輝度制御信号を生成する第１の生成回路と、
第２の輝度制御信号を生成する第２の生成回路と、
第３の輝度制御信号を生成する第３の生成回路とをさらに具備し、
前記第１の制御回路は、前記第１の生成回路によって生成される前記第１の輝度制御信号を入力し、前記入力された前記第１の輝度制御信号のデューティ比に応じて前記第１の赤色発光素子および第２の赤色発光素子に流れる電流の値を調整する回路を含み、
前記第２の制御回路は、前記第２の生成回路によって生成される前記第２の輝度制御信号を入力し、前記入力された前記第２の輝度制御信号のデューティ比に応じて前記第１の緑色発光素子および前記第２の緑色発光素子に流れる電流の値を調整する回路を含み、
前記第３の制御回路は、前記第３の生成回路によって生成される前記第３の輝度制御信号を入力し、前記入力された前記第３の輝度制御信号のデューティ比に応じて前記第１の青色発光素子および前記第２の青色発光素子に流れる電流の値を調整する回路を含むことを特徴とする請求項１記載の情報処理装置。
【請求項３】
前記光源は、前記第１のエリア内に第１の白色発光素子と、前記第２のエリア内に前記第１の白色発光素子に直列接続した第２の白色発光素子とを有し、
前記第１の白色発光素子のアノード側および前記第２の白色発光素子のカソード側が接続され、前記第１の白色発光素子および前記第２の白色発光素子に流れる電流の値を調整する第４の制御回路を更に具備することを特徴とする請求項１記載の情報処理装置。
【請求項４】
前記第１のエリアおよび第２のエリア内の発光素子の配置は、接続された制御回路に応じて決められていることを特徴とする請求項１記載の情報処理装置。
【請求項５】
前記光源は、第３の赤色発光素子と第３の緑色発光素子と第３の青色発光素子とが配置された第３のエリアと、前記第３のエリアに対して一方向に配列され、前記第３の赤色発光素子に直列接続した第４の赤色発光素子と前記第３の緑色発光素子に直列接続した第４の緑色発光素子と前記第３の青色発光素子に直列接続した第４の青色発光素子とが配置された第４のエリアとを有し、
前記表示パネルの右下部よりに設けられ、前記第１のエリアおよび前記第２のエリアが設けられる第１の基板と、
前記表示パネルの左下部よりに設けられ、前記第３のエリアおよび前記第４のエリアが設けられる第２の基板と、
をさらに具備することを特徴とする請求項１記載の情報処理装置。
【請求項６】
前記第３の赤色発光素子のアノード側および第４の赤色発光素子のカソード側が接続され、前記第３の赤色発光素子および前記第４の赤色発光素子に流れる電流の値を調整する第４の制御回路と、
前記第３の緑色発光素子のアノード側および第４の緑色発光素子のカソード側が接続され、前記第３の緑色発光素子および前記第４の緑色発光素子に流れる電流の値を調整する第５の制御回路と、
前記第３の青色発光素子のアノード側および第４の青色発光素子のカソード側が接続され、前記第３の青色発光素子および前記第４の青色発光素子に流れる電流の値を調整する第６の制御回路と
前記第１の基板に設けられる端子であり、前記第１の制御回路、前記第２の制御回路および前記第３の制御回路と接続される第１の端子と、
前記第２の基板に設けられる端子であり、前記第４の制御回路、前記第５の制御回路および前記第６の制御回路と接続される第２の端子と、
前記第１乃至前記第４の赤色発光素子、前記第１乃至前記第４の緑色発光素子、および前記第１乃至前記第４の青色発光素子からの光を照射するための導光板と、をさらに具備し、
前記第１の端子および前記第２の端子は前記導光板を挟むように設けられる端子であることを特徴とする請求項６記載の情報処理装置。
【請求項７】
映像信号を生成するグラフィクスコントローラと、
前記グラフィクスコントローラから出力される映像信号を伝送するケーブルと、
前記ケーブルが接続されるインターフェースであり、前記第１の制御回路、前記第２の制御回路および前記第３の制御回路の夫々の回路から供給される電流を受ける端子を有するインターフェースと、を更に具備する請求項１記載の情報処理装置。
【請求項８】
画像を表示する表示パネルと、
前記表示パネルを照らす光源であり、第１の赤色発光素子と第１の緑色発光素子と第１の青色発光素子とが配置された第１のエリアと、前記第１のエリアに対して一方向に配列され、前記第１の赤色発光素子に直列接続した第２の赤色発光素子と前記第１の緑色発光素子に直列接続した第２の緑色発光素子と前記第１の青色発光素子に直列接続した第２の青色発光素子とが配置された第２のエリアとを含む光源と、
前記光源の点灯時間に応じて設定される輝度制御データであり、前記第１の赤色発光素子および前記第２の赤色発光素子の輝度を設定するための第１の輝度制御データと、前記第１の緑色発光素子および前記第２の緑色発光素子の輝度を設定するための第２の輝度制御データと、前記第１の青色発光素子および前記第２の青色発光素子の輝度を設定するための第３の輝度制御データとを記憶する記憶部と、
前記光源の点灯時間と前記第１の輝度制御データとに応じて第１の輝度制御信号を生成する第１の信号生成回路と、
前記光源の点灯時間と前記第２の輝度制御データとに応じて第２の輝度制御信号を生成する第２の信号生成回路と、
前記光源の点灯時間と前記第３の輝度制御データとに応じて第３の輝度制御信号を生成する第３の信号生成回路と、
前記第１の赤色発光素子のアノード側および前記第２の赤色発光素子のカソード側が接続され、前記第１の赤色発光素子および前記第２の赤色発光素子に流れる電流の値を検出し、前記第１の信号生成回路が生成する前記第１の輝度制御信号と前記第１の赤色発光素子および前記第２の赤色発光素子に流れる前記検出された電流の値とに基づいて、前記第１の赤色発光素子および前記第２の赤色発光素子に流れる電流の値を調整する第１の制御回路と、
前記第１の緑色発光素子のアノード側および前記第２の緑色発光素子のカソード側が接続され、前記第１の緑色発光素子および前記第２の緑色発光素子に流れる電流の値を検出し、前記第２の信号生成回路が生成する前記第２の輝度制御信号と前記第１の緑色発光素子および前記第２の緑色発光素子に流れる前記検出された電流の値とに基づいて、前記第１の緑色発光素子および前記第２の緑色発光素子に流れる電流の値を調整する第２の制御回路と、
前記第１の青色発光素子のアノード側、および前記第２の青色発光素子のカソード側が接続され、前記第１の青色発光素子および前記第２の青色発光素子に流れる電流の値を検出し、前記第３の信号生成回路が生成する前記第３の輝度制御信号と前記第１の青色発光素子および前記第２の青色発光素子に流れる前記検出された電流の値とに基づいて、前記第１の青色発光素子および前記第２の青色発光素子に流れる電流の値を調整する第３の制御回路と、
を具備することを特徴とする情報処理装置。
【請求項９】
前記光源は、前記第１のエリア内に第１の白色発光素子と、前記第２のエリア内に前記第１の白色発光素子に直列接続した第２の白色発光素子とを有し、
前記第１の白色発光素子のアノード側および前記第２の白色発光素子のカソード側が接続され、前記第１の白色発光素子および前記第２の白色発光素子に流れる電流の値を調整する第４の制御回路を更に具備することを特徴とする請求項８記載の情報処理装置。
【請求項１０】
画像を表示する表示パネルと、前記表示パネルを照らす光源であり、第１の赤色発光素子と第１の緑色発光素子と第１の青色発光素子とが配置された第１のエリアと、前記第１のエリアに対して一方向に配列され、前記第１の赤色発光素子に直列接続した第２の赤色発光素子と前記第１の緑色発光素子に直列接続した第２の緑色発光素子と前記第１の青色発光素子に直列接続した第２の青色発光素子とが配置された第２のエリアとを含む光源と、前記第１の赤色発光素子のアノード側および前記第２の赤色発光素子のカソード側が接続された第１の制御回路と、前記第１の緑色発光素子のアノード側および前記第２の緑色発光素子のカソード側が接続された第２の制御回路と、前記第１の青色発光素子のアノード側および前記第２の青色発光素子のカソード側が接続された第３の制御回路とを具備する情報処理装置における輝度制御方法であって、
第１の制御回路を用いて前記第１の赤色発光素子および前記第２の赤色発光素子に流れる電流の値を調整し、
第２の制御回路を用いて前記第１の緑色発光素子および前記第２の緑色発光素子に流れる電流の値を調整し、
第３の制御回路を用いて前記第１の青色発光素子および前記第２の青色発光素子に流れる電流の値を調整する、
ことを特徴とする輝度制御方法。
【請求項１１】
前記情報処理装置は、第１の輝度制御信号を生成する第１の生成回路と、第２の輝度制御信号を生成する第２の生成回路と、第３の輝度制御信号を生成する第３の生成回路とをさらに具備し、
前記第１の制御回路は、前記第１の生成回路によって生成される前記第１の輝度制御信号を入力し、前記入力された前記第１の輝度制御信号のデューティ比に応じて前記第１の赤色発光素子および第２の赤色発光素子に流れる電流の値を調整し、
前記第２の制御回路は、前記第２の生成回路によって生成される前記第２の輝度制御信号を入力し、前記入力された前記第２の輝度制御信号のデューティ比に応じて前記第１の緑色発光素子および前記第２の緑色発光素子に流れる電流の値を調整し、
前記第３の制御回路は、前記第３の生成回路によって生成される前記第３の輝度制御信号を入力し、前記入力された前記第３の輝度制御信号のデューティ比に応じて前記第１の青色発光素子および前記第２の青色発光素子に流れる電流の値を調整することを特徴とする請求項１０記載の輝度制御方法。
【発明の詳細な説明】
【技術分野】
【０００１】
本発明は、発光素子を光源として備えたディスプレイユニットを備えた情報処理装置、および情報処理装置に適用される輝度制御方法に関する。
【背景技術】
【０００２】
近年、ＬＥＤ（Light Emitting Diode）などの発光素子を光源として備えたＬＣＤ（Liquid Crystal Display）のようなディスプレイユニットを備えた携帯型端末装置が開発されている。ＬＥＤは、依然は低かった発光効率も、最近では発光効率が十分に改善されている。
【０００３】
特許文献１には、第１の電源制御回路に接続されたＬＥＤと、第２の電解制御回路に接続されたＬＥＤとを交互に配置することによって、輝度むらを改善した照明装置が開示されている。
【０００４】
また、特許文献２には、赤色ＬＥＤ、緑色ＬＥＤ、青色ＬＥＤを用いて白色の発光源を得ることが記載されている。
【特許文献１】特開２００１−７６５２５号公報
【特許文献２】特開２００２−１００４８５号公報
【発明の開示】
【発明が解決しようとする課題】
【０００５】
ＬＥＤの特性のバラツキが多いので輝度ムラが発生するが、輝度ムラを改善するために電流の値をフィードバックして輝度を調整することが考えられる。ところが、上述した文献において、第１の電源制御回路に接続されたＬＥＤのカソード側、および第２の電解制御回路に接続されたＬＥＤのカソード側はアースに接続されている。電流の値を測定すると、第１の電源制御回路に接続されたＬＥＤを含む回路に流れる電流と、第１の電源制御回路に接続されたＬＥＤを含む回路に流れる電流の平均値になってしまい、正確なフィードバックを行うことが困難である。そのため、ディスプレイユニットの輝度ムラを改善することが困難であった。
【０００６】
本発明の目的は、赤色発光素子、緑色発光素子、青色発光素子を有する光源にて生じる輝度ムラが低減される情報処理装置、および情報処理装置に適用される輝度制御方法を提供することにある。
【課題を解決するための手段】
【０００７】
本発明の一例に係わる情報処理装置は、画像を表示する表示パネルと、前記表示パネルを照らす光源であり、第１の赤色発光素子と第１の緑色発光素子と第１の青色発光素子とが配置された第１のエリアと、前記第１のエリアに対して一方向に配列され、前記第１の赤色発光素子に直列接続した第２の赤色発光素子と前記第１の緑色発光素子に直列接続した第２の緑色発光素子と前記第１の青色発光素子に直列接続した第２の青色発光素子とが配置された第２のエリアとを含む光源と、前記第１の赤色発光素子のアノード側および前記第２の赤色発光素子のカソード側が接続され、前記第１の赤色発光素子および前記第２の赤色発光素子に流れる電流の値を調整する第１の制御回路と、前記第１の緑色発光素子のアノード側および前記第２の緑色発光素子のカソード側が接続され、前記第１の緑色発光素子および前記第２の緑色発光素子に流れる電流の値を調整する第２の制御回路と、前記第１の青色発光素子のアノード側および前記第２の青色発光素子のカソード側が接続され、前記第１の青色発光素子および前記第２の青色発光素子に流れる電流の値を調整する第３の制御回路とを具備する。
【０００８】
本発明の一例に係わる情報処理装置に適用される輝度制御方法は、画像を表示する表示パネルと、前記表示パネルを照らす光源であり、第１の赤色発光素子と第１の緑色発光素子と第１の青色発光素子とが配置された第１のエリアと、前記第１のエリアに対して一方向に配列され、前記第１の赤色発光素子に直列接続した第２の赤色発光素子と前記第１の緑色発光素子に直列接続した第２の緑色発光素子と前記第１の青色発光素子に直列接続した第２の青色発光素子とが配置された第２のエリアとを含む光源と、前記第１の赤色発光素子のアノード側および前記第２の赤色発光素子のカソード側が接続された第１の制御回路と、前記第１の緑色発光素子のアノード側および前記第２の緑色発光素子のカソード側が接続された第２の制御回路と、前記第１の青色発光素子のアノード側および前記第２の青色発光素子のカソード側が接続された第３の制御回路とを具備する情報処理装置における輝度制御方法であって、第１の制御回路を用いて前記第１の赤色発光素子および前記第２の赤色発光素子に流れる電流の値を調整し、第２の制御回路を用いて前記第１の緑色発光素子および前記第２の緑色発光素子に流れる電流の値を調整し、第３の制御回路を用いて前記第１の青色発光素子および前記第２の青色発光素子に流れる電流の値を調整する。
【発明の効果】
【０００９】
ディスプレイユニットの輝度ムラを改善することが可能になる情報処理装置、および情報処理装置に適用される輝度制御方法を提供することが可能になる。
【発明を実施するための最良の形態】
【００１０】
以下、図面を参照して本発明の実施形態を説明する。
【００１１】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。
【００１２】
図１は、ノートブック型パーソナルコンピュータ１０のディスプレイユニットを開いた状態における斜視図である。本コンピュータ１０は、コンピュータ本体１１と、ディスプレイユニット１２とから構成される。ディスプレイユニット１２には、ＬＣＤ１７（Liquid Crystal Display）およびバックライトから構成される表示パネルが組み込まれており、そのＬＣＤ１７の表示画面はディスプレイユニット１２のほぼ中央に位置されている。ＬＣＤ１７は、透過型液晶パネルから構成されている。ディスプレイユニット１２においては、ＬＣＤ１７の背面にバックライトが配置されている。バックライトは、ディスプレイユニット１２の照明装置として機能する。このバックライトは、ＬＥＤ（Light Emitting Diode）のような発光素子を光源として備えている。バックライトの光源にＬＥＤ群を用いることによって、バックライトの長寿命化、および低消費電力を実現することが出来る。本実施形態では、赤色ＬＥＤ、緑色ＬＥＤ、青色ＬＥＤの３種類のＬＥＤを用いて、所望の色、例えば白色を発色させる。
【００１３】
ディスプレイユニット１２は、コンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１４】
入力操作パネル１５は、押されたボタンに対応するイベントを入力する入力装置であり、複数の機能をそれぞれ起動するための複数の機能をそれぞれ起動するための複数のボタンを備えている。これらのボタン群には、輝度制御ボタン１５Ａも含まれている。
【００１５】
輝度制御ボタン１５Ａは、ＬＣＤ１７の表示輝度、つまりＬＥＤの輝度を調整するためのボタンスイッチである。輝度制御ボタン１５Ａがユーザによって押下されたとき、白色ＬＥＤの輝度の増加（高輝度）および減少（低輝度）のいずれか一方を指示するイベントが発生する。本コンピュータ１０は、ＬＥＤの輝度を表示輝度レベル８〜１の８段階で切り替える輝度制御機能を有する。本実施形態においては、輝度制御ボタン１５Ａがユーザによって押される毎に、ＬＥＤの輝度は、表示輝度レベル８，→７，→６，・・・，→１，→８のようにトグルされる。
【００１６】
次に、図２を参照して、本コンピュータ１０のシステム構成について説明する。
【００１７】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２４、および電源コントローラ１２５等を備えている。
【００１８】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）、および各種アプリケーションプログラムを実行する。
【００１９】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２０】
ノースブリッジ１１２はＣＰＵ１１１のローカルバスとサウスブリッジ１１９との間を接続するブリッジデバイスである。
【００２１】
また、ノースブリッジ１１２には、主メモリ１１３をアクセス制御するメモリコントローラも内蔵されている。また、ノースブリッジ１１２には、ＡＧＰ（Accelerated Graphics Port）バスなどを介してグラフィクスコントローラ１１４との通信を実行する機能も有している。
【００２２】
グラフィクスコントローラ１１４は、本コンピュータ１０のディスプレイモニタとして使用されるＬＣＤ１７を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた表示データから、ディスプレイユニット１２のＬＣＤ１７に表示すべき表示イメージを形成する映像信号を生成する。
【００２３】
サウスブリッジ１１９は、Ｉ2Ｃバス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能も有している。
【００２４】
また、サウスブリッジ１１９には、リアルタイムクロック（ＲＴＣ）１１９Ａを内蔵している。リアルタイムクロック（ＲＴＣ）１１９Ａは日時を計時する時計モジュールであり、本コンピュータ１０がパワーオフされている期間中も、リアルタイムクロック（ＲＴＣ）１１９Ａ専用の電池によって動作する。また、リアルタイムクロック１１９Ａは、ＬＥＤ群１９の点灯時間を測定して、記憶する機能を有する。
【００２５】
ＨＤＤ１２１は、各種ソフトウェア及びデータを格納する記憶装置である。このＨＤＤ１２１には、上述したオペレーティングシステムおよび各種アプリケーションシステムなどが格納されている。
【００２６】
光ディスクドライブ（ＯＤＤ）１２２は、ビデオコンテンツが格納されたＤＶＤ、ＣＤなどの記憶メディアを駆動するためのドライブユニットである。
【００２７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。また、エンベデッドコントローラ／キーボードコントローラＩＣ（ＥＣ／ＫＢＣ）１２４は、電源コントローラ１２５と協調して動作することにより、ユーザによるパワーボタン１４の操作に応じて、本コンピュータ１０をパワーオン／パワーオフする機能を有している。
【００２８】
電源コントローラ１２５は、ＡＣアダプタ１２５Ｂを介して外部電源が供給されている場合、ＡＣアダプタ１２５Ｂから供給される外部電源を用いて本コンピュータ１０の各コンポーネントに供給すべきシステム電源を生成する。また、ＡＣアダプタ１２５Ｂを介して外部電源が供給されていない場合、バッテリ１２５Ａを用いて本コンピュータ１０の各コンポーネント（コンピュータ本体１２，およびディスプレイユニット（表示部）１４）に供給すべきシステム電源を生成する。
【００２９】
エンベデッドコントローラ／キーボードコントローラＩＣ１２４はＬＥＤ群１９の表示輝度を制御する機能を有している。エンベデッドコントローラ／キーボードコントローラＩＣ１２４は、ＬＥＤの輝度を制御するために輝度制御テーブル１２６を使用する。輝度制御テーブルには、表示輝度レベル８〜１それぞれに対応する輝度制御データ（第１の輝度制御データ、第２の輝度制御データ、第３の輝度制御データ）がＬＥＤが発色する種類及びＬＥＤ群１９の点灯時間に応じて設定されている。表示輝度レベル８〜１それぞれに対応する輝度制御データがＬＥＤの使用時間に応じてＬＥＤの種類毎に設定されているので、経年変化が生じてＬＥＤの輝度が変換しても、使用時間に応じた輝度制御データを使用することで、色ズレを抑制することができる。また、色温度毎に、表示輝度レベル８〜１それぞれに対応する輝度制御データ（第１の輝度制御データ、第２の輝度制御データ、第３の輝度制御データ）がＬＥＤが発色する種類及びＬＥＤ群の点灯時間に応じて設定されていても良い。
【００３０】
第１の生成回路としてのＰＷＭ回路１２７は、ＲＴＣ１１９Ａによって測定された点灯時間と表示輝度レベルに応じて、輝度制御テーブル１２６から赤色ＬＥＤに対応する輝度制御データを得て、輝度制御データ（第１の輝度制御データ）に対応したＰＷＭ信号（第１の輝度制御信号）を発生する。ＰＷＭ信号のデューティ比は、輝度制御データの値によって変化する。ＰＷＭ回路１２７から発生されたＰＷＭ信号は、ディスプレイユニット１２内に設けられた第１の制御回路１３０に輝度制御信号として送られる。第１の制御回路１３０は、ＬＥＤ群１９中の赤色ＬＥＤを駆動する回路である。第１の制御回路１３０は、ブーストＤＣ−ＤＣコンバータとして機能する。第１の制御回路１３０は、ＬＥＤ群１９中の赤色ＬＥＤに流れる電流の値を調整するために、ＰＷＭ回路１２７から送出されたＰＷＭ信号に応じてＬＥＤ群１９中の赤色ＬＥＤに供給される駆動電圧の電流の値を調整する。
【００３１】
第２の生成回路としてのＰＷＭ回路１２８は、ＲＴＣ１１９Ａによって測定された点灯時間と表示輝度レベルに応じて、輝度制御テーブル１２６から緑色ＬＥＤに対応する輝度制御データを得て、輝度制御データ（第２の輝度制御データ）に対応したＰＷＭ信号（第２の輝度制御信号）を発生する。ＰＷＭ信号のデューティ比は、輝度制御データの値によって変化する。ＰＷＭ回路１２７から発生されたＰＷＭ信号は、ディスプレイユニット１２内に設けられた第２の制御回路１３１に輝度制御信号として送られる。第２の制御回路１３１は、ＬＥＤ群１９中の緑色ＬＥＤを駆動する回路である。第２の制御回路１３１は、ブーストＤＣ−ＤＣコンバータとして機能する。第２の制御回路１３１は、ＬＥＤ群１９中の緑色ＬＥＤに流れる電流の値を調整するために、ＰＷＭ回路１２８から送出されたＰＷＭ信号に応じてＬＥＤ群１９中の緑色ＬＥＤに供給される駆動電圧の電流の値を調整する。
【００３２】
第３の生成回路としてのＰＷＭ回路１２９は、ＲＴＣ１１９Ａによって測定された点灯時間と表示輝度レベルに応じて、輝度制御テーブル１２６から青色ＬＥＤに対応する輝度制御データを得て、輝度制御データ（第２の輝度制御データ）に対応したＰＷＭ信号（第２の輝度制御信号）を発生する。ＰＷＭ信号のデューティ比は、輝度制御データの値によって変化する。ＰＷＭ回路１２７から発生されたＰＷＭ信号は、ディスプレイユニット１２内に設けられた第３の制御回路１３２に輝度制御信号として送られる。第３の制御回路１３２は、ＬＥＤ群１９中の青色ＬＥＤを駆動する回路である。第３の制御回路１３２は、ブーストＤＣ−ＤＣコンバータとして機能する。第３の制御回路１３２は、ＬＥＤ群１９中の青色ＬＥＤに流れる電流の値を調整するために、ＰＷＭ回路１２９から送出されたＰＷＭ信号に応じてＬＥＤ群１９中の青色ＬＥＤに供給される駆動電圧の電流の値を調整する。
【００３３】
ＬＥＤ群１９は、ＬＣＤ１７の背面に設けられた導光板１８の一端部に取り付けられている。導光板１８によって、ＬＥＤ群１９からの光を面状に照射される。導光板１８とＬＥＤ群１９とにより、バックライトが構成される。
【００３４】
次に図３，４を参照して、ＬＥＤ群１９および第１の制御回路１３０，１３１，１３２の構成を説明する。ＬＥＤ群１９は、複数の配線層を有するプリント基板２２に複数のＬＥＤが一方向に実装されて構成されている。プリント基板２２には、ＬＥＤが実装された領域には一方向に配列された複数の発光エリアＥＡ１，ＥＡ２，ＥＡ３，…，ＥＡｎが設定されている。なお、プリント基板２２のかわりに、フレキシブルプリント基板を用いても良い。
【００３５】
第１の発光エリアＥＡ１には、赤色ＬＥＤ  Ｒ１（第１の赤色発光素子），緑色ＬＥＤ  Ｇ１（第１の緑色発光素子），青色ＬＥＤ  Ｂ１（第１の青色発光素子）が、この順番で一方向に配置されている。第２の発光エリアＥＡ２には、赤色ＬＥＤ  Ｒ２（第２の赤色発光素子），緑色ＬＥＤ  Ｇ２（第２の緑色発光素子），青色ＬＥＤ  Ｂ２（第２の青色発光素子）が、この順番で一方向に配置されている。第３の発光エリアＥＡ３には、赤色ＬＥＤ  Ｒ３，緑色ＬＥＤ  Ｇ３，青色ＬＥＤ  Ｂ３が、この順番で一方向に配置されている。発光エリアＥＡｎには、赤色ＬＥＤ  Ｒｎ（第ｎの赤色発光素子），緑色ＬＥＤ  Ｇｎ（第ｎの緑色発光素子），青色ＬＥＤ  Ｂｎ（第ｎの青色発光素子）が、この順番で一方向に配置されている。
【００３６】
そして、赤色ＬＥＤ  Ｒ１，Ｒ２，…，Ｒｎは直列接続されている。緑色ＬＥＤ  Ｇ１，Ｇ２，…，Ｇｎは直列接続されている。青色ＬＥＤ  Ｂ１，Ｂ２，…，Ｂｎは直列接続されている。
【００３７】
直列接続された赤色ＬＥＤ  Ｒ１，Ｒ２，…，Ｒｎの一端、即ち赤色ＬＥＤ  Ｒ１のアノード、および他端、即ち赤色ＬＥＤ  Ｒｎのカソードは、第１の制御回路１３０に接続されている。
【００３８】
直列接続された緑色ＬＥＤ  Ｇ１，Ｇ２，…，Ｇｎの一端、即ち緑色ＬＥＤ  Ｇ１のアノード、および他端、即ち緑色ＬＥＤ  Ｇｎのカソードは、第２の制御回路１３１に接続されている。
【００３９】
直列接続された青色ＬＥＤ  Ｂ１，Ｂ２，…，Ｂｎの一端、即ち青色ＬＥＤ  Ｂ１のアノード、および他端、即ち青色ＬＥＤ  Ｂｎのカソードは、第３の制御回路１３２に接続されている。
【００４０】
各発光エリアＥＡｉ（ｉ＝１，２，３，…，ｎ）内のＬＥＤは、駆動電圧を供給する第１の制御回路１３０，１３１，１３２に応じて配置されている。
【００４１】
第１の制御回路１３０は、直列接続された赤色ＬＥＤ  Ｒ１，Ｒ２，Ｒ３，…，Ｒｎに流れる電流の値を検出する機能を有する。赤色ＬＥＤ  Ｒ１，Ｒ２，Ｒ３，…，Ｒｎのカソード側はアースに接続されていないので、第１の制御回路１３０は、他の第２の制御回路１３１，１３２に接続されたＬＥＤに流れる電流の影響を受けず、赤色ＬＥＤ  Ｒ１，Ｒ２，Ｒ３，…，Ｒｎに流れる電流の値を精度良く検出することができる。第１の制御回路１３０は、ＰＷＭ回路１２７から輝度制御信号として入力されるＰＷＭ信号のデューティ比と検出された電流の値とに基づいて、駆動電圧ＶＲの値を調整する。
【００４２】
第２の制御回路１３１は、直列接続された緑色ＬＥＤ  Ｇ１，Ｇ２，Ｇ３，…，Ｇｎに流れる電流の値を検出する機能を有する。緑色ＬＥＤ  Ｇ１，Ｇ２，Ｇ３，…，Ｇｎのカソード側はアースに接続されていないので、第２の制御回路１３１は、他の第１の制御回路１３０，１３２に接続されたＬＥＤに流れる電流の影響を受けず、緑色ＬＥＤ  Ｇ１，Ｇ２，Ｇ３，…，Ｇｎに流れる電流の値を精度良く検出することができる。第２の制御回路１３１は、ＰＷＭ回路１２８から輝度制御信号として入力されるＰＷＭ信号のデューティ比と検出された電流の値とに基づいて、駆動電圧ＶＧの値を調整する。
【００４３】
第３の制御回路１３２は、直列接続された青色ＬＥＤ  Ｂ１，Ｂ２，Ｂ３，…，Ｂｎに流れる電流の値を検出する機能を有する。青色ＬＥＤ  Ｂ１，Ｂ２，Ｂ３，…，Ｂｎのカソード側はアースに接続されていないので、第３の制御回路１３２は、他の第１の制御回路１３０，１３１に接続されたＬＥＤに流れる電流の影響を受けず、青色ＬＥＤ  Ｂ１，Ｂ２，Ｂ３，…，Ｂｎに流れる電流の値を精度良く検出することができる。第３の制御回路１３２は、ＰＷＭ回路１２９から輝度制御信号として入力されるＰＷＭ信号のデューティ比と検出された電流の値とに基づいて、駆動電圧ＶｄＣの値を調整する。
【００４４】
第１の制御回路１３０，１３１，１３２は精度良くＬＥＤに流れる電流の値を検出することができるので、検出された電流の値によるフィードバックの精度も高くなり、輝度ムラを改善することができる。
【００４５】
従来のＬＥＤを光源として用いた場合、同一発光エリア内のＬＥＤは同一の電源駆動回路で駆動している。また、ＬＥＤに駆動電圧を供給するための端子はプリント基板の端部に設けられることが多い。従って、発光エリアに応じて、端子と直列接続されたＬＥＤとを接続する配線パターンの長さが異なる。ところが、配線パターン自身の抵抗により、配線パターンの長さが異なると、発光エリア（電源制御回路）に応じて駆動電圧が大幅に変動する。その結果、発光エリア間の輝度が変動しやすくなる。
【００４６】
本実施形態の場合、発光エリア内の各ＬＥＤは、それぞれ異なる電源制御回路によって駆動されている。よって、赤色ＬＥＤ  Ｒ１，Ｒ２，Ｒ３，…，Ｒｎを直列接続するための配線パターン、緑色ＬＥＤ  Ｇ１，Ｇ２，Ｇ３，…，Ｇｎを直列接続するための配線パターン、青色ＬＥＤ  Ｂ１，Ｂ２，Ｂ３，…，Ｂｎを直列接続するための配線パターンを直列接続するための配線パターンの長さが均一化される。従って、（電源制御回路）に応じて駆動電圧が大幅に変動することがなく、ＬＣＤ１７面内の輝度が均一になる。
【００４７】
ところで、画面サイズが大きくなった場合、並列で駆動させる数が多くなり、電圧を大きくする必要があり、ＬＥＤに接続する配線パターンを広くする必要がある。配線パターンが広くするために、プリント基板の外形が大きくなる。図５に配線パターンを広くせずに、大画面化できる構成を示す。
【００４８】
図５に示すように、導光板１８の一端部に、赤色ＬＥＤ  Ｒ１，…，Ｒｍ、緑色ＬＥＤ  Ｇ１，…，Ｇｍ、青色ＬＥＤ  Ｂ１，…，Ｂｍが実装された第１のプリント基板２０１Ａ、赤色ＬＥＤ  Ｒｍ＋１，…，Ｒｎ、緑色ＬＥＤ  Ｇｍ＋１，…，Ｇｎ、青色ＬＥＤ  Ｂｍ＋１，…，Ｂｎが実装された第２のプリント基板２０１Ｂが取り付けられている。
【００４９】
第１のプリント基板２０１Ａには第１の制御回路１３０，第２の制御回路１３１，第３の制御回路１３２から出力された駆動電圧を赤色ＬＥＤ  Ｒ１，…，Ｒｍ、緑色ＬＥＤ  Ｇ１，…，Ｇｍ、青色ＬＥＤ  Ｂ１，…，Ｂｍに供給するための第１の端子群２０２Ａが設けられている。
【００５０】
第２のプリント基板２０１Ｂには、第１の制御回路１３０，第２の制御回路１３１，第３の制御回路１３２と異なる赤色ＬＥＤを駆動するための第４の制御回路１３３，緑色ＬＥＤを駆動するための第５の制御回路１３４，青色ＬＥＤを駆動するための第６の制御回路１３５から出力された駆動電圧を、赤色ＬＥＤ  Ｒｍ＋１，…，Ｒｎ、緑色ＬＥＤ  Ｇｍ＋１，…，Ｇｎ、青色ＬＥＤ  Ｂｍ＋１，…，Ｂｎに供給するための第２の端子群２０２Ｂが設けられている。第１の端子群２０２Ａと第２の端子群２０２Ｂとは、導光板１８を挟むように配置されている。導光板１８の左右方向に駆動電圧を供給するための端子群２０２Ａ，２０２Ｂを設けることによって、配線パターンが広くならず、外形が大きくなる事を抑える事が出来る。
【００５１】
また、ＰＷＭ回路１２７，１２８，１２９、およびグラフィクスコントローラ１１４は、コンピュータ本体１１内に設けられている。ＬＣＤ１７に画像を表示させるためには、ＰＷＭ回路１２７，１２８，１２９からのＰＷＭ信号、およびグラフィクスコントローラ１１４からの映像信号の複数の系統の信号をディスプレイユニット１２に供給する必要がある。複数の系統の信号を供給するためには、ディスプレイユニット１２内に複数の信号を供給するために複数のケーブルを必要とし、ケーブルを配置するための配置面積が必要となる。図６を参照してケーブルの配置面積を抑制することができる構成を示す。
【００５２】
図６に示すように、導光板１８の裏面側にインターフェース基板２１１が配置されている。インターフェース基板２１１には、制御回路１３０，１３１，１３２、第１の端子２１２および第２の端子２１３が設けられている。第１の端子２１２には、第１のフレキシブルプリント基板２１４が接続されている。第１のフレキシブルプリント基板２１４には、コンピュータ本体１１から供給されＰＷＭ信号、および映像信号が供給されている。
【００５３】
第２の端子２１３にはプリント基板２２と接続された第２のフレキシブルプリント基板２１５が接続されている。そして、インターフェース基板２１１に供給された３種類のＰＷＭ信号に応じて第１の制御回路１３０，１３１，１３２は、駆動電圧ＶＲ，ＶＧ，ＶＢを調整する。そして、駆動電圧ＶＲ，ＶＧ，ＶＢが、インターフェース基板２１１とプリント基板２２とを接続する第２のフレキシブルプリント基板２１５によって、プリント基板２２に供給される。
【００５４】
この構成であると、プリント基板２２をインターフェース基板２１１に接続することによって、３種類のＰＷＭ信号、および映像信号を１個の第１の端子２１２によって供給することができる。その結果、駆動電圧ＶＲ，ＶＧ，ＶＢ、および映像信号を供給するためのケーブルが、一つの第１のフレキシブルプリント基板２１４ですみ、配置面積の増大を抑制することができる。
【００５５】
なお、上述したノートブック型パーソナルコンピュータ１０では、第１の制御回路１３０，１３１，１３２がディスプレイユニット１２内に配置されている。しかし、コンピュータ本体１１内に第１の制御回路１３０，１３１，１３２を配置しても良い。
【００５６】
また、図７に示すように、ＬＥＤ群１９内に白色ＬＥＤ  Ｗ１，Ｗ２，Ｗ３，…，Ｗｎを配置しても良い。赤色ＬＥＤ  Ｒ１，緑色ＬＥＤ  Ｇ１，青色ＬＥＤ  Ｂ１、および白色ＬＥＤ  Ｗ１が、この順番で一方向に配置されている。第２の発光エリアＥＡ２には、赤色ＬＥＤ  Ｒ２，緑色ＬＥＤ  Ｇ２，青色ＬＥＤ  Ｂ２，および白色ＬＥＤ  Ｗ２が、この順番で一方向に配置されている。第３の発光エリアＥＡ３には、赤色ＬＥＤ  Ｒ３，緑色ＬＥＤ  Ｇ３，青色ＬＥＤ  Ｂ３，および白色ＬＥＤ  Ｗ３が、この順番で一方向に配置されている。発光エリアＥＡｎには、赤色ＬＥＤ  Ｒｎ，緑色ＬＥＤ  Ｇｎ，青色ＬＥＤ  Ｂｎ，及び白色ＬＥＤ  Ｗｎが、この順番で一方向に配置されている。
【００５７】
そして、白色ＬＥＤ  Ｗ１，Ｗ２，Ｗ３，…，Ｗｎは直列接続されている。緑色ＬＥＤ  Ｇ１，Ｇ２，…，Ｇｎは直列接続されている。青色ＬＥＤ  Ｂ１，Ｂ２，…，Ｂｎは直列接続されている。
【００５８】
直列接続された赤色ＬＥＤ  Ｒ１，Ｒ２，…，Ｒｎの一端、即ち赤色ＬＥＤ  Ｒ１のアノード、および他端、即ち赤色ＬＥＤ  Ｒｎのカソードは、第４の制御回路１４１に接続されている。
【００５９】
ＰＷＭ回路１４０は、ＲＴＣ１１９Ａによって測定された点灯時間と表示輝度レベルに応じて、輝度制御テーブル１２６から白色ＬＥＤに対応する輝度制御データを得て、輝度制御データ（第４の輝度制御データ）に対応したＰＷＭ信号（第４の輝度制御信号）を発生する。ＰＷＭ信号のデューティ比は、輝度制御データの値によって変化する。ＰＷＭ回路１４０から発生されたＰＷＭ信号は、ディスプレイユニット１２内に設けられた第４の制御回路１４１に輝度制御信号として送られる。第４の制御回路１３０は、ＬＥＤ群１９中の白色ＬＥＤを駆動する回路である。第４の制御回路１４１は、ブーストＤＣ−ＤＣコンバータとして機能する。第４の制御回路１４１は、ＬＥＤ群１９中の白色ＬＥＤに流れる電流の値を調整するために、ＰＷＭ回路１４０から送出されたＰＷＭ信号に応じてＬＥＤ群１９中の白色ＬＥＤに供給される駆動電圧の電流の値を調整する。
【００６０】
なお、図５に示したＬＥＤが実装されたプリント基板の構成において、第１のプリント基板２０１Ａ、および第２のプリント基板２０２Ａに白色ＬＥＤを実装してもよい。この場合、第１の端子群２０２Ａに、ＬＥＤ群１９中の白色ＬＥＤに流れる電流の値を調整するために、ＰＷＭ回路から送出されたＰＷＭ信号に応じてＬＥＤ群１９中の白色ＬＥＤに供給される駆動電圧の電流の値を調整するための第４の制御回路に接続された端子を設け、第２の端子群２０２Ｂに、ＬＥＤ群１９中の白色ＬＥＤに流れる電流の値を調整するために、ＰＷＭ回路から送出されたＰＷＭ信号に応じてＬＥＤ群１９中の白色ＬＥＤに供給される駆動電圧の電流の値を調整するための第５の制御回路に接続された端子を設ける。
【００６１】
また、図６に示した構成において、基板２２に、白色ＬＥＤを実装し、インターフェース基板２１１に白色ＬＥＤに流れる電流の値を調整するために、ＰＷＭ回路から送出されたＰＷＭ信号に応じてＬＥＤ群１９中の白色ＬＥＤに供給される駆動電圧の電流の値を調整するための第４の制御回路を実装しても良い。この場合も同様に、第４の制御回路から白色ＬＥＤに駆動電圧ＶＷが第２のフレキシブルプリント基板２１５をかいして供給される。
【００６２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６３】
【図１】本発明の一実施形態に係る情報処理装置の外観を示す斜視図。
【図２】図１の情報処理装置のシステム構成の例を示すブロック図。
【図３】図１の情報処理装置に設けられたＬＥＤ駆動回路およびＬＥＤ群の構成の例を示すブロック図。
【図４】図３の電源制御回路およびＬＥＤの構成を示す図。
【図５】ＬＥＤが実装されたプリント基板、および導光板を示す図。
【図６】ＬＥＤが実装されたプリント基板、およびプリント基板に接続されたインターフェース基板を示す図。
【図７】図１の情報処理装置に設けられたＬＥＤ駆動回路およびＬＥＤ群の構成の変形例を示すブロック図。
【符号の説明】
【００６４】
１０…ノートブック型パーソナルコンピュータ，１１…コンピュータ本体，１２…ディスプレイユニット，１３…キーボード，１４…パワーボタン，１５…入力操作パネル，１５Ａ…輝度制御ボタン，１６…タッチパッド，１７…ＬＣＤ，１８…導光板，１９…ＬＥＤ群，２２…プリント基板，１１１…ＣＰＵ，１１２…ノースブリッジ，１１３…主メモリ，１１４…グラフィクスコントローラ，１１４Ａ…ビデオメモリ，１１９…サウスブリッジ，１１９Ａ…リアルタイムクロック，１２０…ＢＩＯＳ−ＲＯＭ，１２１…ハードディスクドライブ，１２２…光ディスクドライブ，１２４…エンベデッドコントローラ／キーボードコントローラＩＣ１２４，１２５…電源コントローラ，１２６…輝度制御テーブル，１２７，１２８，１２９…ＰＷＭ回路，１３０…第１の制御回路，１３１…第２の制御回路，１３２…第３の制御回路，１３３…第４の制御回路，１３４…第５の制御回路，１３５…第６の制御回路，１４０…ＰＷＭ回路，１４１…第４の制御回路，２０１Ａ…第１のプリント基板，２０１Ｂ…第２のプリント基板，２０２Ａ…第１の端子群，２０２Ｂ…第２の端子群，２０２Ａ．２０２Ｂ…端子群，２１１…インターフェース基板，２１２…第１の端子，２１３…第２の端子，２１４…第１のフレキシブルプリント基板，２１５…第２のフレキシブルプリント基板
【図１】
2007206282.tif 000003
【図２】
2007206282.tif 000004
【図３】
2007206282.tif 000005
【図４】
2007206282.tif 000006
【図５】
2007206282.tif 000007
【図６】
2007206282.tif 000008
【図７】
2007206282.tif 000009